(57)【特許請求の範囲】
【請求項１】
被写体を照明する周囲光の主成分が、光の波長の判定により人工光であるか否かを判別する人工判別手段と、
前記周囲光の主成分が人工光であると判別された場合には、ストロボ光による露光量と該周囲光による露光量との割合の比率を、自然光が主成分となった周囲光で行うストロボ撮影の時と比較して、ストロボ光による露光量の割合を大きくするように制御する露光量制御手段と、
を具備するストロボ制御装置であって、
前記人工光判別手段は、
自然光の波長のピーク値近傍領域の可視光の光を検出する第１の光検出手段と、
前記第１の光検出手段における光検出領域を含まない赤外光域の波長の光を検出する第２の光検出手段と、
前記第２の光検出手段の検出結果に予め定めた補正のための第１の所定値を足した値と、前記第１の光検出手段の検出結果とを比較する第１の比較手段と、
前記第１の光検出手段の検出結果に予め定めた補正のための第２の所定値を足した値と、前記第２の光検出手段の検出結果とを比較する第２の比較手段と、
前記第１の比較手段の比較で前記第１の光検出手段の検出結果が大きかった時、若しくは第２の比較手段の比較で前記第２の光検出手段の検出結果が大きかった時には、前記被写体を照明する光の主成分が人工光であると判定する判定手段と、
を具備することを特徴とするストロボ制御装置。
【請求項２】
前記人工光判別手段において、
前記第１の光検出手段は、５００ｎｍ近辺をピークとした分光感度特性を有し、可視光を検出して、カメラの測光に用いられる受光素子からなり、
前記第２の光検出手段は、前記受光索子の検出可能な光の波長領域外で、１０００ｎｍ近辺をピークとした分光感度特性を有し、赤外光を検出して、カメラのリモートコントロール制御に用いられる赤外光受光素子からなることを特徴とする請求項１記載のストロボ制御装置。
【請求項３】
前記人工光判別手段は、前記第１の光検出手段の出力が所定値以上の時には、人工光判別を行わないことを特徴とする請求項１記載のストロボ制御装置。
【発明の詳細な説明】
【０００１】
【発明の属する技術分野】
本発明は、光源の光の波長を判別し、ストロボ装置を発光させることによって色バランスを補正する機能を持ったカメラのストロボ制御装置に関するものである。
【０００２】
【従来の技術】
従来、ストロボ装置によって色バランスを補正するといった技術は、例えば、実開平１−１１３２２２号公報等に記載されている技術がある。この公報においては、撮影の際に、周囲光が蛍光灯であるか否かを判別し、人工光、例えば、蛍光灯である場合には、ストロボ光を発光させることにより、良好な色バランスを得る技術が開示されている。
【０００３】
【発明が解決しようとする課題】
しかしながら、前述した公報に記載される従来技術においては、検出した周囲光が蛍光灯であった場合に、単にストロボを発光させているだけなので、もし、周囲光での蛍光灯の占める割合が強かった場合には、色補正がしきれず周囲光の影響が残ってしまう恐れがある。
【０００４】
つまり、蛍光灯の影響により写真プリント全体が青みがかった色合いとなり、反対に人工光が白熱電球であれば、赤みがかった色合いとなり、必ずしも十分な色補正であるとはいえない。
【０００５】
そこで本発明は、人工光源に強く照明された被写体においても適正な色バランスで撮影可能で、色再現性の良いプリントを容易に得られるカメラのストロボ制御装置を提供することを目的とする。
【０００６】
【課題を解決するための手段】
本発明は上記目的を達成するために、
被写体を照明する周囲光の主成分が、光の波長の判定により人工光であるか否かを判別する人工判別手段と、前記周囲光の主成分が人工光であると判別された場合には、ストロボ光による露光量と該周囲光による露光量との割合の比率を、自然光が主成分となった周囲光で行うストロボ撮影の時と比較して、ストロボ光による露光量の割合を大きくするように制御する露光量制御手段と、を具備するストロボ制御装置であって、前記人工光判別手段は、自然光の波長のピーク値近傍領域の可視光の光を検出する第１の光検出手段と、前記第１の光検出手段における光検出領域を含まない赤外光域の波長の光を検出する第２の光検出手段と、前記第２の光検出手段の検出結果に予め定めた補正のための第１の所定値を足した値と、前記第１の光検出手段の検出結果とを比較する第１の比較手段と、前記第１の光検出手段の検出結果に予め定めた補正のための第２の所定値を足した値と、前記第２の光検出手段の検出結果とを比較する第２の比較手段と、前記第１の比較手段の比較で前記第１の光検出手段の検出結果が大きかった時、若しくは第２の比較手段の比較で前記第２の光検出手段の検出結果が大きかった時には、前記被写体を照明する光の主成分が人工光であると判定する判定手段と、を具備することを特徴とするストロボ制御装置を提供する。
【０００８】
【発明の実施の形態】
以下、図面を参照して本発明の実施形態について詳細に説明する。
図１には、本発明による実施形態としてのカメラに搭載されるストロボ制御装置の概略的な構成を示し、説明する。
【０００９】
このストロボ制御装置は、カメラ全体のシーケンスを制御するワンチップのマイクロコンピュータ等からなる演算制御回路ＣＰＵ１と、該ＣＰＵ１からの制御信号に基づいて後述する構成部位等を制御し、温度依存性の少ない電圧ＶＬＣＤを生成し、且つ絶対温度に依存性のあるＶＴを生成するインタフェースＩＣ（ｌＦＩＣ）３を有する。これらは互いに、４bit のパラレル通信によりデータのやり取りを行っている。
【００１０】
前記ＣＰＵ１には、該ＣＰＵ１が制御動作する際のタイミングの基準となるクロック信号を与えるクロック部２と、後述するデータ等を記憶する書き換え可能な不揮発性メモリ、例えばＥＥＰＲＯＭ４と、後述する外部接続端子５と、カメラの動作状況を撮影者に告知し、不図示のカメラの裏蓋側に配置され、フイルムの駒数、ストロボモード、電池残量表示等の表示を行う表示用ＬＣＤ６と、各種スイッチが備えられている。
【００１１】
具体的には、前記ＥＥＰＲＯＭ４は、ＣＰＵ１が各種の制御を実施する上で必要な各種補正値や調整値、フィルム駒数等のデータや人工光判別時の補正値を記憶し、ＣＰＵ１と通信を行う。また外部接続端子５を通して、ＣＰＵ１とＥＥＰＲＯＭ４の通信ラインを外部と接続することが出来るようになっており、ここに外部調整機やチェッカ等を接続して、外部からカメラの制御を行ったリ、ＥＥＰＲ０Ｍ４のデータを読み込んだり書き込んだりすることが可能である。
【００１２】
前記各種スイッチにおいては、メインスイッチＰＷＳＷ７は、カメラを動作状態にするスイッチであり、裏蓋スイッチＢＫＳＷ８は、カメラの裏蓋の開閉に連動して、ＯＮ／ＯＦＦするスイッチであり、裏蓋を閉じる即ち、ＯＦＦからＯＮになったことを検知すると、フィルムのオートロードを開始する。
【００１３】
さらに、第１のレリーズスイッチ１ＲＳＷ９は図１３に示すようなレリーズボタンを半押しした状態で、ＯＮとなるスイッチであり、このスイッチがＯＮすると、カメラは予め設定された撮影モードで測距、測光等の各種演算を行う。第２のレリーズスイッチ２ＲＳＷ１０は、レリーズボタンを全押しした状態でＯＮとなるスイッチであり、これがＯＮすると、前記の演算結果を基にフィルムへの露光、フィルムの巻き上げ等を行う。
【００１４】
またセルフタイマスイッチＳＥＬＦＳＷ１１は、撮影モードをレリーズボタンを押してから約１０秒程度の所定の時間後に、露光動作が行われる、いわゆるセルフタイマ撮影に切り換えるためのスイッチであり、このスイッチをＯＮしつつ、２ＲＳＷ１０がＯＮすることでセルフタイマモードの撮影を行うことが出来る。ストロボスイッチＦＬＳＷ１２は、撮影時のストロボモードを切り換えるためのスイッチである。
【００１５】
本実施形態のカメラでは、ストロボモードは、ＯＦＦ（ストロボ発光禁止）、ＦＩＬＬ−ＩＮ（ストロボ強制発光）、ＡＵＴＯ（撮影状況をカメラが判断してストロボ発光のＯＮ／ＯＦＦを制御する）、ＡＵＴＯ−Ｓ（前記ＡＵＴＯモードにおいて、赤目軽減機能を付加したもの）の４種類のモードを有しており、ＦＬＳＷ１２をＯＮする度にモードが切り替わる。
【００１６】
そして、フィルム巻き戻しスイッチＲＷＳＷ１３は、フィルムの強制巻き戻しを行うスイッチであり、このスイッチをＯＮすることにより、フィルムが最終駒まで撮影されていなくても、フィルムを巻き戻すことが出来る。
【００１７】
次に前記ｌＦＩＣ３においては、撮影者等が持つリモコン２２から投射される赤外光の信号を受信するリモコン受信部１５と、被写体までの距離を測定するＡＦ回路１６と、撮影画面を分割し、それぞれを測光可能な測光回路１７と、シャッタの開閉を行うシャッタ駆動回路１８と、モータ２０及びそれに付随する不図示の動力伝達機構の正逆転等の駆動により、フィルムの巻き上げ、巻き戻し、シャッタチャージ、合焦動作及びレンズ駆動等の制御を行うモータ駆動回路２１と、カメラがセルフタイマ撮影中であることを点灯によって被写体に知らせるための表示を行うＳＥＬＦＬＥＤ２６とが接続されている。
【００１８】
具体的には、前記リモコン受信部１５は、リモコン２２から投射される赤外光の信号を受信して、ＩＦＩＣ３に送信する。ＩＦＩＣ３ではそれを受信して波形整形を行った後、ＣＰＵ１へ送信する。このリモコン受信装置１５は、後に詳細を説明するが、人工光判別も合わせて行う。
【００１９】
前記ＡＦ回路１６は、被写体までの距離を測定するための回路であり、本実施形態では、投光部から被写体に向けて投光を行い、その反射光を検知して、被写体までの距離を測定するいわゆるアクティブ式測距法を採用している。測距信号はＩＦＩＣ３内で処理された後、ＣＰＵ１へ送られる。
【００２０】
また、前記測光回路１７は、撮影画面の中央部分とその周辺部分とが別々に測光が出来るセンサを用いて、被写体の輝度を電気信号に変える装置である。この電気信号は、ＩＦＩＣ３内で処理され、ＣＰＵ１へ送られる。このセンサは、撮影画面の中央部分と周辺部分が別々に測光できるため、撮影目的に合わせて中央部分のみの測光又は両者の出力の差から、逆光判定を行うことも可能である。また後述する人工光検知にも使用される。
【００２１】
前記シャッタ駆動回路１８は、ＩＦＩＣ３からの制御信号を受けてシャッタの開閉を行う。本実施形態におけるシャッタは、図示していないが、例えば、三角開口波形を有する絞り兼用のセクタシャッタを用いている。
【００２２】
さらに、前記ＣＰＵ１及びＩＦＩＣ３には、それぞれ以下の部位が設けられている。
この装置を駆動する電源として、例えば、３Ｖの電池から直接供給される電源ラインＶcc１と、回路全体を動作させるためには不十分な３Ｖを５Ｖに昇圧した２次電圧を生成して、２次電圧ラインＶcc２に供給する昇圧回路１４と、撮影する被写体に補助光を照射する発光管及びその制御を行うストロボ回路Ｉ９とを有する。
【００２３】
前記ＣＰＵ１に制御され、リレーズボタンの半押し時に、合焦可能な場合には点灯及び、合焦不可の場合には点滅を行い、撮影者に注意を促すＡＦ表示用ＬＥＤ２４と、ＩＦＩＣ３に制御され、リレーズボタンの半押し時でストロボが発光状態にある場合には点灯し、ストロボが必要な状況だとカメラが判断したにも関わらず、ストロボが発光可能な状態にない場合には点滅して撮影者に注意を促すストロボ警告表示用ＬＥＤ２５と、ファインダの脇に前記ＡＦ表示用ＬＥＤ２４及び前記ストロボ警告表示用のＬＥＤ２５を配置するＦ内表示装置２３が設けられる。
【００２４】
そして装填されたフィルムのパーフォレーション部分に投光して、その反射光を検知することでパーフォレーションの有無を検知し、フィルムの給送量を検知するためのフォトリフレクタＷＰＲ２７が設けられる。前記パーフオレーションの有無を表す信号は、ＩＦＩＣ３にて波形整形され、ＣＰＵ１に送られる。なお、ＷＰＲ２７には、温度依存性の少ない電圧源ＶＬＣＤが用いられパーフォレーションの有無の検出の精度を向上させている。
【００２５】
さらには、フォトインタラプタＡＥＰＩ２８、フォトリフレクタＣＬＰＲ２９及び、パルス出力を発生するＭＴＰＩ３０が備えられている。
これらのうち、前記ＡＥＰＩ２８は、シャッタの開口開始を検知するためのフォトインタラプタである。シャッタが開口を始めると、ＡＥＰＩ２８のスリットの間で遮光をしていた部材が退き、ＡＥＰＩ２８の出力がＬレベルとなりＩＦＩＣ３に送られる。この信号に基づきＣＰＵ１は、シャッタの開口量を制御する。また、前記ＣＬＰＲ２９は、モータ２０の動力をどこに伝達するかを切り換える不図示のクラッチ機構位置を検出するためのフォトリフレクタである。なお、ＡＥＰＩ２８とＣＬＰＲ２９は、シーケンス制御上同時に駆動することはないので、信号ラインを一部共有している。
【００２６】
前記ＭＴＰＩ３０は、モータ２０に連動した遮光羽根３１が回転するとパルス出力を発生し、それをＣＰＵ１に送る。このパルスはレンズ繰り出し量の制御に用いられている。
【００２７】
次にこのように構成されたカメラのストロボ制御装置による人工光の検知について説明する。
本実施形態による人工光検知は、リモコン受信部１５及び測光回路１７を流用して行う。図２には、本実施形態のカメラに用いられている自然光の領域の光を検出する測光センサと赤外光の領域の光を検出するリモコンセンサの分光感度特性を示す図である。
【００２８】
つまり、前記測光センサは、５００ｎｍ付近をピークとした短波長寄りの分光感度特性を持ち、前記リモコンセンサは、１０００ｎｍ付近をピークとした長波長寄りの分光感度特性を有している。
【００２９】
図３には、各種光源の違いによる分光特性の概略図を示してある。これによると、蛍光灯の光は、６００ｎｍ付近をピークとして、４００ｎｍ付近から８００ｎｍ付近の範囲にある。
【００３０】
この分光特性が、フィルムをプリントしたときに青味がかった色になってしまう原因である。また白熱電球は、１０００ｎｍ付近をピークに３００ｎｍ付近より長波長寄りにある。これがフィルムをプリントしたときに赤味がかった色になってしまう原因である。
【００３１】
一般に自然光は、３００ｎｍ付近より長波長寄りに比較的全範囲にあることがわかる。
これらの図２及び図３からわかるように、それぞれのセンサは、元々用途が異なっているため、誤動作を防止するためにも異なる波長の信号を検出するように設計されている。
【００３２】
従って、それぞれのセンサは、分光特性の範囲内の光しか感知できないため、周囲光に含まれる光源が、例えば、蛍光灯ならば、測光センサはその光を検知することが出来るが、リモコンセンサでは、蛍光灯の光をほとんど感知することが出来ない。
【００３３】
同様に、白熱電球の場合は、割合的に測光センサよりも、リモコンセンサの方がより光を感知し、また、自然光では若干、測光センサの方が感度がいいがどちらでも光を感知することが出来る。
【００３４】
また、実際には、白熱電球といってもいろいろな種類があり、その一例として、図４に示すような特性を持っている。蛍光灯や自然光の場合にも特に図示しないが同様のことがいえる。
【００３５】
よって、測光センサの出力とリモコンセンサの出力の割合に応じて、被写体を照明している光源を特定することが可能となる。
図４に示すように、可視光及び赤外光の検出素子や回路のばらつきはいわゆるＡ光源（色温度２８５０゜Ｋの白熱電球）を用いて調整すればよい。
【００３６】
次に、人工光検出の実際の処理について説明する。
図５（ａ）は、人工光判別に用いられる前述したリモコン受信部１５及び測光回路１７の構成を示した図である。
【００３７】
前記リモコン受信部１５において、被写体を照明する光を集光させる受光レンズ３２と、集光させた光を検出し光電流に変換するリモコンセンサ（受光素子）３３と、帰還ループ中に設けられた前記光電流を積分するコンデンサ３５と、リモコンセンサ３３の出力と基準となる第１の所定レベルとを比較し出力するコンパレータ３４と、コンパレータ３４の出力と基準となる第２の所定レベルとを比較し出力するコンパレータ３７と、ＣＰＵ１からのＳＷ信号によって制御され、コンデンサ３５を初期化するスイッチ３６とで構成される。
【００３８】
この構成により、受光レンズ３２によって集光された光は、リモコンセンサ３３に照射されて光電流に変換され、積分アンプ３４の帰還ループ中に設けられたコンデンサ３５により積分される。そして、スイッチ３６がオフした場合、積分アンプ３４の出力Ｖint は、図５（ｂ）に示すように、第１の所定レベルＶref1から下降して第２の所定レベルＶref2を下回ると、コンパレータ３７の出力COMPは反転した信号をＣＰＵ１に出力する。
【００３９】
ここでスイッチ３６がオフしてからコンパレータ３７が反転するまでの時間Ｔint は、リモコンセンサ３３に入射した光の強さの逆数に比例する。なお、リモコンセンサ３３の分光感度特性は、図２で示した様に、赤外域の光を感知するため、ここでの入射光の強さは、赤外光即ち、白熱電球を主とした光量となる。従って、 ＣＰＵ１は、時間Ｔint を内蔵のカウンタでカウントすることにより、赤外光の光量を測定することが出来る。
【００４０】
また、可視光の処理を行う測光回路１７の構成は、前述したリモコン受信部１５のリモコンセンサ３３の代わりに測光センサ４０を用いている点が異なり、その他の構成は同様であり、図２で示した可視光域の光を感知するため、ここでの入射光の強さは、可視光即ち、蛍光灯を主とした光量となる。
【００４１】
次に図６の人工光判別のサブルーチンを示すフローチャートを参照して、前述したリモコン受信部１５及び測光回路１７を備えるカメラのストロボ制御装置による人工光判別について詳細に説明する。
【００４２】
まず、始めに輝度判断を行う（ステップＳ１）。この輝度判断で、可視光輝度がＬｖＢ（本実施形態においては、１３とする）より高輝度の場合には（ＮＯ）、人工光判断は行わず、ステップＳ４へ移行する。しかし、可視光輝度がＬｖＢより低輝度の場合には（ＹＥＳ）、ステップＳ２以降の人工光判断似移行する。
【００４３】
前記リモコン受信部１５及び前記測光回路１７により検出された可視光輝度と、赤外光輝度に所定値Ｃ１を足したものとを比較する（ステップＳ２）。この比較で、可視光輝度の方が大きかった場合（ＹＥＳ）、蛍光灯による照明の影響が大きいと判断して、ここでもし赤外光輝度が可視光輝度に所定値Ｃ２を足したものよりも大きい場合には白熱電球による照明の影響が大きいとして、フラグＦＦＴＵＢＥの値を１とし（ステップＳ５）、リターンする。
このＦＦＴＵＢＥは、人工光検知フラグであり、値が１ならば人工光による影響が大きいと判断をするものである。
【００４４】
しかし、ステップＳ２の比較で、所定値Ｃ１を足した赤外光輝度の方が大きかった場合（ＮＯ）、次段で赤外光輝度と、可視光輝度に所定値を足したものとを比較する（ステップＳ３）。この比較で、赤外光輝度の方が大きかった場合（ＹＥＳ）、前記ステップ５に移行し、人工光による影響が大きいともの判断をする。しかし、ステップＳ３の比較で、所定値Ｃ２を足した可視光輝度の方が大きかった場合（ＮＯ）、被写体照明における人工光の影響は小さいと判別し、フラグＦＦＴＵＢＥを０とし（ステップＳ４）、リターンする。なお、所定値Ｃ１，Ｃ２は前述した判断が正しく行われるようにするための補正値である。
【００４５】
なお、このシーケンスでは、結果として人工光か否かを判定しているが、フローチャートから判る様に、人工光も白熱電球と蛍光灯との２種類の検出も可能である。
【００４６】
具体的には、ステップＳ２でＹＥＳと判定された場合に、必要なフラグをたててやれば、そのフラグの存在により、１が立っていれば蛍光灯が光源であることが認識できるし、ステップＳ３においてＹＥＳと判定された場合に、同様に、フラグに１を立てることにより、白熱電球であると認識することも出来る。
【００４７】
これらは状況によって使い分ければ良い。また所定値Ｃ１，Ｃ２は、ＥＥＰＲＯＭ４内に記憶されているため、修正や調整などを容易に行うことが出来る。
次に図７に示すフローチャートを参照して、本実施形態のカメラのストロボ装置を用いた実際の露光動作について説明する。
【００４８】
まず、第１のレリーズスイッチ１ＲＳＷ９がＯＮしているか否か判別し（ステップＳ１１）、ＯＮならば（ＹＥＳ）、ＡＦ回路１６において、測距動作を行い被写体までの距離を測定する（ステップＳ１２）。しかし、ＯＦＦであれば（ＮＯ）、ＯＮされるまでこの状態を保持する。
【００４９】
次に、測光回路１７において測光を行い被写体の輝度を測定し（ステップＳ１３）、さらに図６に示したシーケンスのような人工光判別を行う（ステップＳ１４）。
【００５０】
次に、前述したステップＳ１２，Ｓ１３，Ｓ１４において、測定した値に基づき、後述するＡＥ演算を行い各パラメータを設定する（ステップＳ１５）。さらに、第２のレリーズスイッチ２ＲＳＷ１０がＯＮしているか否かを判別する（ステップＳ１６）。
この判別で、２ＲＳＷ１０がＯＮならば（ＹＥＳ）、所定の動作で露光を行い（ステップＳ１８）、露光シーケンスを終了する。しかし、２ＲＳＷ１０がＯＦＦならば（ＮＯ）、再び、１ＲＳＷ９の状態を判別する（ステップＳ１７）。この判別で、まだ１ＲＳＷ９がＯＮ状態を維持していれば（ＹＥＳ）、フォーカスロック中であると判断して、前記ステップＳ１６に戻る。しかし、１ＲＳＷ９がＯＦＦしていたならば（ＮＯ）、前記ステップＳ１１に戻り、シーケンスを繰り返す。
【００５１】
ここで、前記ステップＳ１５のＡＥ演算において、図８（ａ）に示すフローチャートを参照して詳細に説明する。
まず、フィルム情報読取装置４３により読み込まれたＳｖ値（フィルムスピード）及びステップＳ１３において得られたＢｖ値（被写体輝度）よりＥｖ値（露出量）を求める（ステップＳ２１）。
【００５２】
そして前記ステップＳ２１で求められたＥｖ値と、不図示のＥｖ値、Ａｖ値（ｆナンバを表す）、Ｔｖ値（シャッタの有効露出時間を表す）の関係を示したプログラム線図とからＡｖ値、Ｔｖ値を算出する（ステップＳ２２）。
【００５３】
次に、前記ステップＳ１２で得られた距離データよりストロボ撮影に必要なストロボの光量、すなわちガイドナンバＧＮｏを算出する（ステップＳ２３）。このストロボは、被写体が遠ければ遠いほど光量を多くするいわゆるフラッシュマチック制御であるものとする。
【００５４】
次に、図６に示したフローチャートにより行った人工光判別の結果を基に、人工光の有無の判定を行い（ステップＳ２４）、人工光が有る時には（ＹＥＳ）、ストロボ発光要求フラグＦ＿ＳＴを１とする（ステップＳ２５）。このＦ＿ＳＴが１の時には、フィルム露光時にストロボが発光するように制御される。そして、先に求められたＴｖ値に所定値１．５を加えてＡＥ演算を終了する（ステップＳ２６）。
【００５５】
これは、実際に露出を行う場合において、周囲光の影響を減らすために、その周囲光による露出をアンダーとなるように設定して、相対的にストロボ光による露出の割合を大きくし、プリントされた写真の仕上がりの色を人工光の影響を抑制し、より自然な色に近付けるためである。なお、本実施形態における所定値１．５は好適する値であるが、勿論、システムや撮影状況などを考慮して適宜決められて然るべき値である。
【００５６】
しかし、前記ステップＳ２４において、人工光無しの時には（ＮＯ）、設定されたシャッタスピードが手ぶれを起こす恐れがあるか否か判定する（ステップＳ２７）。具体的には、Ｔｖ値が所定の値５以下であるか否かを判定している。ちなみに、この所定値についてもレンズの焦点距離、明るさ等のシステム及び撮影状況等を考慮して適宜決められる値である。
【００５７】
Ｌｖ値が８．２５未満である時は（ＹＥＳ）、手ぶれを起こす可能性が高いと判定し、ストロボ発光要求フラグＦ＿ＳＴに１を立て（ステップＳ２８）、ＡＥ演算を終了する。しかし、Ｔｖが５よりも大きいときは手ぶれを起こす可能性が低いと判定され、ストロボ発光要求フラグＦ＿ＳＴに０を立てて（ステップＳ２９）、ＡＥ演算を終了する。
【００５８】
以上がＡＥ演算のシーケンスであり、演算後は図８（ｂ）に示すように、各値が設定される。
また、図９には、赤外光輝度と可視光輝度によるストロボ制御の一例である。この図９より、前述した図８（ａ）のステップＳ２７において、手ぶれを起こす可能性の基準としたＬｖ値８．２５を求めることができる。
【００５９】
つまり、ストロボ制御を行う場合、赤外光輝度と可視光輝度との関係において、自然光の領域を中心として、赤外光の高輝度側で可視光の低輝度側に白熱電球の自動発光領域があり、赤外光の低輝度側で可視光の高輝度側に蛍光灯の自動発光領域が存在する。このような特性における自動発光の判断条件としては、
（１）可視光輝度＜Ｌｖ１３  且つ  可視光輝度＞赤外光輝度＋３．５
（２）可視光輝度＜Ｌｖ１３  且つ  可視光輝度＜赤外光輝度
となる。
【００６０】
ここで図１０は、人工光下での露出制御を理解しやすくするために、自然光と人工光の周囲光下で、同じ被写体輝度における時間に対するシャッタの開口量を示す。
【００６１】
図１０（ａ）は、自然光下での通常のシャッタの開口波形を示す。ＡＥ卜リガがＬからＨに切り替わると、シャッタが開口を始める。またＡＥ卜リガの立ち上がりがシャッタの開口開始とずれているが、これはカメラ構成上の機械的な原因に起因するものである。また、そのずれの値はほぼ一定となる。シャッタは少しづつ開口していき、やがて全開状態となり、そして開口の時より速い速度で閉口する。このようにして所望の露光量を得ることが出来る。
【００６２】
図１０（ｂ）には、人工光下で撮影した場合の時間に対するシャッタの開口量を示す。人工光下で撮影した場合には、前述した図１０（ａ）の開口波形に比べて、シャッタの閉じるタイミングが早くなっている。これは、図８（ａ）のステップＳ２６において、Ｔｖ値を大きくしているためである。従って、人工光下では、周囲光による露出はアンダー気味になる。
【００６３】
また人工光下では、図中ス卜ロボトリガＡが、ＬレベルからＨレベルに変わると、ストロボが発光するため、これにより周囲光による露光量とス卜口ボ光による露光量の割合は、ストロボ光量の割合が大きくなり、人工光による照明の影響が小さくなり、より自然な色合いにプリントされた写真を得ることが出来る。
【００６４】
なお、本実施形態のカメラでは、ストロボ光量の調整がストロボトリガをシャッタ開口中のどのタイミングでかけるか、すなわちＡＥ卜リガの切り替わりを検知し、そこから時間をカウントすることによって制御している。
【００６５】
ストロボの発光時間は、シャッタの開口時間に比べて充分に短く、従って、シャッタの開口径が小さいうちにストロボを発光させれば、それだけストロボの光量が絞られていることになるからである。一方、ストロボの光量を大きくしたければ、図中ストロボ卜リガＢのように遅延をかければ良い。
【００６６】
また、これ以外にストロボの光量を調節するにはストロボの充電コンデンサの充電電圧を制御するなどの方法を用いても良い。
次に本発明のストロボ制御装置による第２の実施形態について説明する。
【００６７】
本実施形態は、前述した第１の実施形態における図７に示しステップＳ１５のＡＥ演算の変形例であり、図１２に示すフローチャートを参照して説明する。
まず、第１の実施形態と同様に、Ｓｖ値及びＢｖ値からＥｖ値を求める（ステップＳ３１）。
【００６８】
そしてこの求められたＥｖ値と、不図示のＥｖ値、Ａｖ値（ｆナンバを表す）、Ｔｖ値（シャッタの有効露出時間を表す）の関係を示した図１１のプログラム線図とからＡｖ値、Ｔｖ値を算出する（ステップＳ３２）。
【００６９】
次に、前記ステップＳ１２で得られた距離データよりストロボ撮影に必要なストロボの光量、すなわちガイドナンバＧＮｏを算出する（ステップＳ３３）。このストロボは、フラッシュマチック制御であるものとする。
【００７０】
次に、前述した人工光判別の結果を基に、人工光の有無の判定を行い（ステップＳ３４）、人工光が有る時には（ＹＥＳ）、ストロボ発光要求フラグＦ＿ＳＴを１とする（ステップＳ３５）。このＦ＿ＳＴが１の時には、フィルム露光時にストロボが発光するように制御される。そして、先に求められたＴvmin値には、図１１から人工光検出時の手ぶれで丸める秒時Ｋに基づき、７を設定する（ステップＳ３６）。
【００７１】
一方、前記ステップＳ３４で人工光がない場合には、手ぶれを起こす可能性が低いと判定され、ストロボ発光要求フラグＦ＿ＳＴに０を立てて（ステップＳ３７）、さらに、Ｔvmin値には、図１１で求められる５．２５を設定する（ステップＳ３６）。しかし、前記ステップＳ２４において、人工光無しの時には（ＮＯ）、設定されたシャッタスピードが手ぶれを起こす恐れがあるか否か判定する（ステップＳ２７）。
【００７２】
次に、Ｔｖ値とＴvmin値とを比較して（ステップＳ３９）、Ｔvmin値がＴｖ値より大きければ（ＹＥＳ）、Ｔｖ値にＴvmin値を設定し、ストロボ発光要求フラグＦ＿ＳＴに１を立て（ステップＳ２８）、ＡＥ演算を終了する。一方、ステップＳ３９でＴvmin値がＴｖ値より、小さい時は（ＮＯ）、そのままＡＥ演算を終了する。
【００７３】
次に本発明のストロボ制御装置による第３の実施形態について説明する。
前述した第１の実施形態においては、人工光の判定にリモコン受信部１５及び測光回路１７即ち、リモコンセンサと測光センサを用いた。これらの分光感度特性が人工光と自然光を判別する上で都合の良い特性を持っていたため、比較的容易にこれらの光源を判別することが出来たが、本実施形態は、例えば、図１３に示すような分光感度特性を持つリモコンセンサを用いた例について説明する。
【００７４】
図１３に示すリモコンセンサの場合、分光感度特性が図２に示した第１の実施形態と比較すると、ピーク位置は同じであるが、帯域が広がり短波長側にずれている。
【００７５】
このため、第１の実施形態のようなシステムに構成すると、リモコンセンサが蛍光灯の波長も多少拾ってしまい、確実な人工光判別を出来なくなってしまう恐れがある。
【００７６】
そこで、図１４に示すような分光特性を持ったフィルタをリモコンセンサの前面に配置する。このフィルタ配置により、図２に示すようなリモコンセンサの分光感度特性に近い特性に補正でき、より精度の高い人工光検出が可能となる。
【００７７】
なお、測光センサの分光感度特性があまり好ましくない場合には、前述したと同様に、所望の特性が得られるようなフィルタを測光センサの前面に配置しても良い。また、測光センサ、リモコンセンサに限ったものでもなく、例えば測距センサ、または人工光検出のために専用のセンサを設ける場合に、その分光感度特性を補正するための好適するフィルタを配置しても良いのは、勿論である。
【００７８】
次に本発明のストロボ制御装置による第４の実施形態について説明する。
前述した第３実施形態では、人工光判別をするための受光素子の分光感度特性を補正するのにフィルタ用いた。
【００７９】
しかし、通常のカメラではこれらの受光素子は、カメラ本体に剥き出しのまま取り付けられていることはあまりなく、図１５に示すように、ストロボ部５２、ファインダ部５３、ＡＦ部５４、測光部５５、リモコン受光部５６が配置されるカメラ本体５１の前面には、覆うように透明カバー５７が取り付けられている場合が多い。
【００８０】
そこで、例えば、図２に示した分光特性をもつセンサを得ようとする場合には、リモコン受光部となる受光センサの前面の透明カバー５７の部分に、図１４に示すような分光特性を有するインクを印刷してやれば良い。
【００８１】
このカバーの印刷された部分がフィルタとして機能するため、前述した第２の実施形態のように、別途フィルタを製作し、取り付ける手間が省け、同様の性能を得りつつ安いコストで実施することがきる。
【００８２】
勿論、所望の特性が得られるようになれば良いので、リモコン受光部を用いなくとも、代わりができるセンサがあれば、他のセンサの前面、または該当素子の前面の透明カバーの部分に印刷をしても構わない。但し、このような特性を持つインクを印刷する際に、センサの検出機能が低下しないように、インクの濃さ等を考慮する必要がある。
【００８３】
なお、本発明の上記実施態様によれば以下のごとき構成が得られる。
（１）被写体を照明する光の主成分が光の波長の判定により人工光であるか否かを判別する人工光判別手段と、被写体を照明する光の主成分が人工光であると判別された場合には、スト口ボ光による露光量と周囲光による露光量との割合を調整する露光量制御手段とを具備することを特徴とするカメラのストロボ制御装置。
【００８４】
（２）被写体を照明する光を受光する受光手段と、
上記受光手段で検知された光の主成分が人工光であるか否かを判別する人工光判別手段と、
被写体を照明する光の主成分が人工光であると判別された場合には全露光量に対するストロボ光の割合と周囲光の割合を通常のストロボ撮影よりもストロボ光の割合を増加させるように制御する露光量制御手段と、
を具備することを特徴とするカメラのストロボ制御装置。
【００８５】
（３）被写体を照明する光を受光する受光手段と、
上記受光手段で検知された光の主成分が人工光であるか否かを判別する人工光判別手段と、
被写体を照明する光の主成分が人工光であると判別された場合には全露光量に対するストロボ光の割合と周囲光の割合を通常のストロボ撮影よりも周囲光の割合を減少させるように制御する露光量制御手段と、
を具備することを特徴とするカメラのストロボ制御装置。
（４）被写体を照明する光を受光する受光手段と、
上記受光手段で検知された光の主成分が人工光であるか否かを判別する人工光判別手段と、
被写体を照明する光の主成分が人工光であると判別された場合にはストロボを発光させるとともに周囲光の露光量を通常のストロボ撮影よりも減少させるように制御する露光量制御手段と、
を具備することを特徴とするカメラのストロボ制御装置。
（５）上記受光手段は人工光検知以外の機能も持つことを特徴とする前記（２）項に記載のストロボ制御装置。
（６）上記受光手段は、リモコンの受信、若しくは測光の機能のいずれかの持ち、人工光検知手段としても兼用可能であることを特徴とする前記（２）項に記載のストロボ制御装置。
（７）上記露光量制御手段は、シャッタ秒時を通常のストロボ撮影より短くする様に制御することを特徴とする前記（２）項または前記（４）項に記載のストロボ制御装置。
（８）上記人工光判別手段は、不揮発性記憶素子に記憶された補正値を用いて人工光判別を行うことを特徴とする前記（２）項に記載のストロボ制御装置。
（９）上記受光手段の光路中に分光感度特性補正用のフィルタを配置したことを特徴とする前記（２）項に記載のストロボ制御装置。
（１０）上記受光手段の光路中のカメラ本体部組に分光感度補正用の塗装を施したことを特徴とする前記（１）項若しくは、前記（２）項に記載のストロボ制御装置。
（１１）上記露出制御手段においてストロボ光量の制御は、シャッタの開口開始からのタイミングを制御することにより行うことを特徴とする前記（１）項若しくは、前記（２）項に記載のストロボ制御装置。
（１２）被写体を照明する光の主成分が人工光であるかを判別する人工光判別手段と、
低輝度でストロボを発光させるときには、秒時を第１の秒時に設定し、人工光と判断したときにストロボを発光させるときには、第１の秒時よりも高速の第２の秒時にするように設定する秒時設定手段とを具備することを特徴とするストロボ制御装置。
【００８６】
【発明の効果】
上詳述したように本発明によれば、人工光源に強く照明された被写体においても適正な色バランスで撮影可能で、色再現性の良いプリントを容易に得られるカメラのストロボ制御装置を提供することができる。
【図面の簡単な説明】
【図１】本発明による実施形態としてのカメラに搭載されるストロボ制御装置の概略的な構成を示す図である。
【図２】第１の実施形態のカメラに用いられている測光センサとリモコンセンサの分光感度特性を示す図である。
【図３】各種光源の違いによる分光特性の概略を示す図である。
【図４】白熱電球の違いによる波長と比エネルギーの関係を示す図である。
【図５】リモコン受信部及び測光回路の構成例を示す図である。
【図６】第１実施形態のカメラのストロボ制御装置による人工光判別について説明するためのフローチャートである。
【図７】第１の実施形態のカメラのストロボ装置を用いた実際の露光動作について説明するためのフローチャートである。
【図８】図８（ａ）はＡＥ演算のシーケンスを説明するためのフローチャートであり、図８（ｂ）は設定された値の一例を示す図である。
【図９】赤外光輝度と可視光輝度の関係におけるによるストロボ制御の一例である。
【図１０】第２の実施形態のカメラのストロボ装置の露光動作について説明するためのフローチャートである。
【図１１】人工光の有無による変化させる露出秒時の下限をプログラム線として示す図である。
【図１２】自然光と人工光の周囲光下で、同じ被写体輝度における時間に対するシャッタの開口量を示す図である。
【図１３】第３の実施形態としてのカメラのストロボ装置における分光感度特性を示す図である。
【図１４】第３の実施形態に用いられるフィルタの分光特性を示す図である。
【図１５】第３の実施形態として、カメラ本体の前面からフィルタ機能を有するカバーに覆われている各構成部位の配置例を示す図である。
【符号の説明】
１…演算制御回路（ＣＰＵ）
２…クロック部
３…インターフェイスＩＣ（ｌＦＩＣ）
４…ＥＥＰＲＯＭ
５…外部接続端子
６…表示用ＬＣＤ
７…電源スイッチＰＷＳＷ
８…裏蓋スイッチＢＫＳＷ
９…第１のレリーズスイッチ１ＲＳＷ
１０…第２のレリーズスイッチ２ＲＳＷ
１１…セルフタイマスイッチＳＥＬＦＳＷ
１２…ストロボスイッチＦＬＳＷ
１３…フィルム巻き戻しスイッチＲＷＳＷ
１４…昇圧回路
１５…リモコン受信部
１６…ＡＦ回路
１７…測光回路
１８…シャッタ駆動回路
１９…ストロボ回路
２０…モータ
２１…モータ駆動回路
２２…リモコン
２３…Ｆ内表示装置
２４…ＡＦ表示用
２５…ストロボ警告表示用ＬＥＤ
２６…ＳＥＬＦＬＥＤ
２７…フォトリフレクタＷＰＲ
２８…フォトインタラプタＡＥＰＩ
２９…フォトリフレクタＣＬＰＲ
３０…ＭＴＰＩ
３１…遮光羽根
【図１】
0003735166.tif 000002
【図２】
0003735166.tif 000003
【図３】
0003735166.tif 000004
【図４】
0003735166.tif 000005
【図５】
0003735166.tif 000006
【図６】
0003735166.tif 000007
【図７】
0003735166.tif 000008
【図８】
0003735166.tif 000009
【図９】
0003735166.tif 000010
【図１０】
0003735166.tif 000011
【図１１】
0003735166.tif 000012
【図１２】
0003735166.tif 000013
【図１３】
0003735166.tif 000014
【図１４】
0003735166.tif 000015
【図１５】
0003735166.tif 000016